(57)【要約】  実施態様によると、システムは、制限的な環境に対するアクセスを選択的に許可または拒否する。アクセスは、少なくとも部分的にモバイル装置のワイヤレス送信機の状態に基づくことができ、状態は、アクティブまたは非アクティブなワイヤレス通信の１つである。システムは、ワイヤレスコマンドを通して送信機を自動的に非アクティブまたは無効にすることができ、その後に、制限的な環境に対するアクセスを許可することができる。モバイル装置は、ワイヤレスローカルエリアネットワーク（ＷＬＡＮ）、ワイヤレス広域ネットワーク（ＷＷＡＮ）、およびワイヤレスパーソナルエリアネットワーク（ＷＰＡＮ）の１つを通してワイヤレスで通信することができる。
2009505568.tif 000002
【特許請求の範囲】
【請求項１】
制限的な環境における無線周波数伝送を禁止するシステムであって、
制限的なエリアへのユーザのアクセスを制限する電子ロックと、
ユーザの登録および関連するモバイル装置を維持し、モバイル装置の状態に少なくとも部分的に基づいて前記制限的なエリアへのアクセスを選択的に許可するホストコンピュータと
を備えることを特徴とするシステム。
【請求項２】
前記ホストコンピュータは、前記ユーザが登録され、前記モバイル装置上でアクティブな送信機が存在しない場合に、前記制限的なエリアへのアクセスを許可することを特徴とする請求項１に記載のシステム。
【請求項３】
前記ホストコンピュータは、前記モバイル装置の少なくとも１つの送信機がアクティブであるかまたは前記ユーザが登録されていない場合に、前記制限的なエリアへのアクセスを拒否することを特徴とする請求項１に記載のシステム。
【請求項４】
前記ホストコンピュータは、前記装置内の１つまたは複数の送信機を自動的に無効にすることを特徴とする請求項３に記載のシステム。
【請求項５】
前記ホストコンピュータは、ユーザに、前記少なくとも１つのアクティブな送信機を無効にするように通知を提供することを特徴とする請求項３に記載のシステム。
【請求項６】
前記モバイル装置は、ワイヤレスローカルエリアネットワーク（ＷＬＡＮ）、ワイヤレス広域ネットワーク（ＷＷＡＮ）、およびワイヤレスパーソナルエリアネットワーク（ＷＰＡＮ）の１つを通してワイヤレスで通信することを特徴とする請求項１に記載のシステム。
【請求項７】
前記ホストコンピュータは、前記電子ロックを利用してアクセスを選択的に許可することを特徴とする請求項１に記載のシステム。
【請求項８】
請求項１に記載のシステムのコンポーネントが格納されているコンピュータ読取可能媒体。
【請求項９】
制限的なエリアへのアクセスを選択的に許可する方法であって、
それぞれの権限のあるユーザに対して登録されたモバイル装置を含む権限のあるユーザのリストを維持することと、
制限的なエリアへのアクセスの要求を受け取ることと、
前記権限のあるユーザのリスト、および前記登録されたモバイル装置の状態に少なくとも部分的に基づいて、前記制限的なエリアへのアクセスを許可することと
を備えることを特徴とする方法。
【請求項１０】
前記モバイル装置がネットワークにアクティブに接続されるかどうかを確認することと、
前記装置が前記ネットワークにアクティブに接続されない場合、前記制限的なエリアへのアクセスを許可することと
をさらに備えることを特徴とする請求項９に記載の方法。
【請求項１１】
前記装置が前記ネットワークにアクティブに接続される場合、前記制限的なエリアへのアクセスを拒否することをさらに備えることを特徴とする請求項１０に記載の方法。
【請求項１２】
前記装置を前記ネットワークから自動的に切断することと、
前記制限的なエリアへのアクセスを許可することと
をさらに備えることを特徴とする請求項１１に記載の方法。
【請求項１３】
前記装置を前記ネットワークから切断するようにユーザに通知することと、
前記装置が前記ネットワークから切り離されると、前記制限的なエリアへのアクセスを許可することと
をさらに備えることを特徴とする請求項１１に記載の方法。
【請求項１４】
制限的な環境へのアクセスを選択的に禁止するシステムであって、
制限的な環境へのユーザのアクセスの要求を受け取る手段と、
前記ユーザが適正な権限レベルを有するかどうかを確認する手段と、
ポータブル通信装置を前記ユーザに関連付ける手段と、
前記制限的な環境へのアクセスを選択的に禁止する手段と
を備えることを特徴とするシステム。
【請求項１５】
前記ポータブル通信装置がアクティブにワイヤレスデータを通信しているかどうかを確認する手段をさらに備えることを特徴とする請求項１４に記載のシステム。
【請求項１６】
アクティブなワイヤレス通信が存在する場合、前記ポータブル装置の送信機を自動的に無効にする手段をさらに備えることを特徴とする請求項１５に記載のシステム。
【請求項１７】
前記送信機が無効にされると、前記制限的な環境へのアクセスを許可する手段をさらに備えることを特徴とする請求項１６に記載のシステム。
【請求項１８】
請求項１４に記載のシステムのコンポーネントが格納されているコンピュータ読取可能媒体。
【請求項１９】
アクセス要求を受け取り、
前記の受け取ったアクセス要求をユーザとポータブル装置に関連付け、
前記ポータブル装置が情報をワイヤレスに伝送しているかどうかの判定を行い、
ワイヤレス情報の伝送がない場合、アクセスを許可する
ためのコンピュータ実行可能命令が格納されているコンピュータ読取可能媒体。
【請求項２０】
前記ポータブル装置が少なくとも１つの送信機を用いて情報をワイヤレスに送信している場合、前記アクセスの要求を一時的に拒否し、
前記ポータブル装置上の前記の少なくとも１つの送信機を自動的に無効にする
ためのコンピュータ実行可能命令をさらに備えることを特徴とする請求項１９に記載のコンピュータ読取可能媒体。
【発明の詳細な説明】
【技術分野】
【０００１】
本開示は、一般にコンピュータシステムに関し、より詳細には、制限的または限定的なアクセス環境において無線周波数伝送を緩和することに関する。
【背景技術】
【０００２】
ワイヤレスモバイル技術は、広く普及しており、個人およびビジネスの両方で利用されている。計算能力に対するアクセス需要は、コンピュータサイズの大幅な減少と相まって、ハンドヘルドコンピュータなどのポータブル電子装置をもたらし、これによりユーザは、以前は比較的固定されたデスクトップコンピュータに限られていたコンピューティングリソースを持ち運ぶことができる。特に、デジタルパーソナルアシスタント、携帯電話、全地球測位システム（ＧＰＳ）受信機、および他の電子装置を含む、特殊目的のコンピューティング装置および通信装置が開発されている。ポータブルハンドヘルド端末のユーザは、以前のそれぞれユーザの仕事量と比べて大量のデータまたは情報を生成し、管理する。
【０００３】
電話、ポケットベル、携帯情報端末（ＰＤＡ）、データ端末などのモバイル装置は、日常の営業の過程で、ある場所から別の場所へ移動する人が持ち運ぶように設計されている。それぞれのモバイル装置は、モバイル装置が登録されているアクセスポイントを通じたモバイル装置とセントラルサーバとの間のワイヤレス通信により、セントラルシステムと通信することができる。モバイル装置が、あるセルまたは地理的エリアから別へ移動すると、モバイル装置は、典型的に特定のアクセスポイントを切り離し、新しいセル内のアクセスポイントと関連することとなる。
【発明の開示】
【発明が解決しようとする課題】
【０００４】
モバイル装置は、非常に広範囲に利用されるので、これら装置の使用に関する問題、および、無線周波数（ＲＦ）伝送が他の機器および／またはデータを損傷し、中断させ、および／または破壊する可能性があるエリアにおいてＲＦ伝送の生成に関する問題が生じている。ある機器の近くにアクティブな送信機を有するワイヤレスモバイルコンピューティング装置は、その機器の操作を中断させて大幅な時間的、金銭的な損失を与え、人員を負傷させる可能性がある。従って、装置内の様々な送信機がアクティブになることが許可される場合を制御して、敏感な環境における伝送の使用を緩和する必要がある。
【課題を解決するための手段】
【０００５】
以下は、本発明のいくつかの態様の基本的な理解を与えるため、本発明の簡略化した要約を提示する。本要約は広範的な概要ではなく、本要約は本発明の主要な特徴または本質的な特徴を特定するようには意図しておらず、本発明の範囲を決定するようにも意図していない。本要約の唯一の目的は、本発明のいくつかの概念を、後述するより詳細な説明に対する前置きとして提示することである。
【０００６】
本明細書で開示および主張する本発明は、その１つの態様において、制限的な環境において無線周波数伝送を禁止するシステムを備える。システムは、制限的なエリアへのユーザのアクセスを制限する電子ロックと、ユーザおよび関連するモバイル装置の登録を維持し、モバイル装置の状態に少なくとも部分的に基づいて制限的なエリアへのアクセスを選択的に許可するホストコンピュータとを含む。ユーザが登録され、ユーザに割り当てられるモバイル装置上でアクティブな送信機が存在しない場合、アクセスを許可することができる。モバイル装置の少なくとも１つの送信機がアクティブである場合、またはユーザが登録されていないか、またはユーザがそのエリアにアクセスする権限のあるユーザのリストにない場合、アクセスを拒否することができる。別の実施態様によると、ホストコンピュータは、自動的にアクティブなワイヤレス送信機を無効にするか、またはアクティブな送信機を無効にするようにユーザに通知を提供する。モバイル装置は、ワイヤレスローカルエリアネットワーク（ＷＬＡＮ）、ワイヤレス広域ネットワーク（ＷＷＡＮ）、およびワイヤレスパーソナルエリアネットワーク（ＷＰＡＮ）の１つを通してワイヤレスで通信する。
【０００７】
別の実施態様によると、制限的なエリアに対するアクセスを選択的に許可する方法がある。その方法は、権限のある各ユーザについて登録されたモバイル装置のリストを含む権限のあるユーザのリストを維持することと、制限的なエリアへのアクセス要求を受け取ることと、権限のあるユーザのリストおよびリスト上のモバイル装置の状態に少なくとも部分的に基づいて制限的なエリアに対するアクセスを許可することとを含む。方法は、モバイル装置がネットワークにアクティブに接続されるかどうかを確認することと、装置がネットワークにアクティブに接続されない場合に制限的なエリアに対するアクセスを許可することとをさらに含むことができる。さらなる実施態様によると、方法は、自動的に装置をネットワークから切断し、制限的なエリアに対するアクセスを許可することを含む。
【０００８】
さらなる実施態様によると、コンピュータ実行可能命令を格納したコンピュータ読取可能媒体があり、そのコンピュータ実行可能命令は、アクセス要求を受け取り、受け取ったアクセス要求をユーザおよびポータブル装置と関連付け、ポータブル装置が情報をワイヤレスで伝送しているかどうかを判定する。ワイヤレス情報の伝送がない場合は、アクセスが許可される。コンピュータ読取可能媒体は、ポータブル装置が少なくとも１つの送信機を用いて情報をワイヤレスで伝送している場合は、アクセス要求を一時的に拒否することができ、および／またはポータブル装置上の全ての伝送を自動的に無効にすることができる。
【０００９】
以下の記述および添付した図面は、本発明のある例示的な態様を詳細に説明する。しかし、これらの態様は、本発明の原理を使用することができる様々な方法のいくつかを示すものに過ぎず、本発明は、全ての上記態様およびその等価物を含むように意図される。本発明の他の利点および新規な特徴は、図面と関連して考慮される本発明の以下の詳細な説明から明らかになるであろう。
【発明を実施するための最良の形態】
【００１０】
本発明を、ここで図面を参照して説明するが、同様の参照番号は、図面を通じて同様の要素を参照するのに用いられる。以下の記述では、説明の目的で、本発明の完全な理解を提供するために多くの特定の詳細を説明する。しかし、本発明をこれらの特定の詳細なしに実践することができることは明らかであろう。他の事例では、本発明の説明を容易にするため、よく知られている構造および装置をブロック図の形式で示す。
【００１１】
本出願で用いる場合、「コンポーネント」、「モジュール」および「システム」という用語は、ハードウェア、ハードウェアおよびソフトウェアの組合せ、ソフトウェア、または実行中のソフトウェアのいずれかであるコンピュータ関連のエンティティを指すように意図される。例えば、コンポーネントは、プロセッサ上で稼働中のプロセス、プロセッサ、オブジェクト、実行可能ファイル、実行スレッド、プログラム、および／またはコンピュータとすることができるが、これらには限定されない。実例として、サーバ上で稼働中のアプリケーションとサーバの両方とも、コンポーネントとすることができる。１つまたは複数のコンポーネントは、プロセス内および／または実行スレッド内に存在することができ、１つのコンポーネントを、１つのコンピュータ上に局所化すること、および／または２つ以上のコンピュータ間に分散することができる。
【００１２】
「例示的」という単語を、本明細書では、例、事例、または実例としての役目を果たす意味で用いる。「例示的」として本明細書で説明される任意の態様または設計を、他の態様または設計に対して好適または有利であると必ずしも解釈する必要はない。
【００１３】
さらに、本発明を、標準的なプログラミングおよび／またはエンジニアリング技術を用いて方法、装置、または製品として実装し、コンピュータを制御するソフトウェア、ファームウェア、ハードウェア、またはこれらの任意の組合せを製造し、開示した本発明を実装することができる。本明細書で用いる「製品」という用語は、任意のコンピュータ読取可能装置からアクセス可能なコンピュータプログラム、キャリア、または媒体を含むように意図される。例えば、コンピュータ読取可能媒体は、磁気記憶装置（例えば、ハードディスク、フロッピー（登録商標）ディスク、磁気ストライプなど）、光ディスク（例えば、コンパクトディスク（ＣＤ）、デジタルバーサタイルディスク（ＤＶＤ）など）、スマートカード、およびフラッシュメモリ装置（例えば、カード、スティック）を含むことができるが、これらには限定されない。さらに、搬送波を使用して、電子メールの送受信、またはインターネットもしくはＬＡＮなどのネットワークのアクセスに用いられるようなコンピュータ読取可能の電子データを運搬することができることを認識されたい。当然のことながら、本発明の範囲または精神から逸脱することなく、本構成を修正することができることを、当業者は理解するであろう。
【００１４】
最初に図１を参照すると、制限的な環境における無線周波数（ＲＦ）伝送を禁止することを容易にする自動クローズドループシステム１００が図示されている。制限的な環境は、アクセスが限定されＲＦ伝送がエリア内に配置された機器の操作を中断させる可能性がある任意のエリア、環境、または場所を含むことができる。これらの制限的なエリアを、例えば、病院（例えば、集中治療病棟、心臓病棟、手術室など）、および敏感な医療機器（例えば、ペースメーカー、除細動器、心電図など）がある可能性のあるエリアで見つけることができる。上記機器の中断は、人体の損傷または人命の喪失につながる可能性がある。アクセスが限定される可能性のある他の例には、例えば、特にＲＦ伝送の影響を受けやすい様々な電子機器があるエリアを含む電話交換施設が含まれる。
【００１５】
システムは、ユーザ１０６に関連するモバイルコンピューティング装置１０４とワイヤレスでインタフェースをとるホストコンピュータ１０２を含む。ホストコンピュータを、ワイヤレスまたは物理的な配線接続を通してのいずれかによりパネルまたは電子ロックシステム１０８に接続することもでき、パネルまたは電子ロックシステム１０８は、制限的なエリアの近くに配置され、ユーザ１０６は、パネルまたは電子ロックシステム１０８を通して制限的なエリアへのアクセスを要求する。ユーザ１０６は、自身に関する情報を、例えば電子ロックシステム１０８と関連するマウス、ローラーボール、キーパッド、キーボード、ペンおよび／または音声認識などの様々な装置を利用することを通して入力することができる。ホストコンピュータ１０２を構成して、ユーザ１０６が、電子ロックシステム１０８を無効にして制限的なエリアへのアクセスを得るために必要なアクセスレベルを有するかどうかを判定する。ホストコンピュータ１０２を構成して、ワイヤレスコンピューティング装置１０４の条件または活動状態を含む様々な要因に基づいて、ある制限的または限定的なアクセスエリアに対するアクセスを選択的に禁止および／または許可する。モバイルコンピューティング装置１０４の活動状態は、モバイルコンピューティング装置１０４がネットワークにアクティブに接続されているか、またはネットワークから切断されているか（例えば、ログオンしていない、ワイヤレス接続がアクティブでないなど）のいずれかとすることができる。例えば、ホストコンピュータ１０２は、ユーザ認証、ユーザのアクセスレベル、ユーザ権限、および／または装置の条件（例えば、ネットワークにアクティブに接続されていること）に応じて特定のエリアへのアクセスを許可することができる。
【００１６】
モバイルコンピューティング装置１０４は、携帯情報端末（ＰＤＡ）、携帯電話、スマートフォン、パームパイロット、パーソナルデータアシスタント、モバイルコンピュータ、バーコードスキャナ、ＲＦＩＤデバイス、ラップトップコンピュータ、ウェラブルコンピュータデバイス、または他のモバイルコンピューティング装置を含む、複数のモバイルまたはワイヤレス装置とすることができる。モバイル装置１０４は、ＷＬＡＮ、ＷＷＡＮ、ＷＰＡＮ上などの伝送を含むＲＦ伝送を容易にすることができる。それぞれのモバイル装置１０４は、ネットワーク上の機器１０４に登録されたユーザ１０６に関連付けられる。モバイルコンピューティング装置１０４およびホストコンピュータ１０２は、ワイヤレスで、または有線接続もしくは物理接続を通して、通信するように動作する。１つのモバイルコンピューティング装置１０４、および１人のユーザ１０６が示されているが、それぞれ２つ以上とすることができることを理解されたい。さらに、ユーザ１０６を、２つ以上のモバイルコンピューティング装置１０４に関連付けることができる。２つ以上の電子ロックシステム１０８を、本明細書で開示されるシステムおよび／または方法で利用することができることも理解されたい。
【００１７】
モバイル装置１０４は、揮発性メモリ装置、または不揮発性メモリ装置とすることができる。揮発性とは、永続的でなく、装置の電源を落とす（例えば、電源を切る、コールドブートする）と消去されるメモリを指す。揮発性メモリは、外部キャッシュメモリとして動作するランダムアクセスメモリ（ＲＡＭ）を含むことができる。限定ではなく例として、ＲＡＭは、スタティックＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、ラムバスダイレクトＲＡＭ（ＲＤＲＡＭ）、ダイレクトラムバスダイナミックＲＡＭ（ＤＲＤＲＡＭ）、およびラムバスダイナミックＲＡＭ（ＲＤＲＡＭ）などの多くの形式で利用可能である。適切な不揮発性メモリは、読取専用メモリ（ＲＯＭ）、プログラマブルＲＯＭ（ＰＲＯＭ）、電気的プログラム可能ＲＯＭ（ＥＰＲＯＭ）、電気的消去可能プログラマブルＲＯＭ（ＥＥＰＲＯＭ）、またはフラッシュメモリを含むことができる。
【００１８】
図２を参照すると、所定の基準に応じて、１つまたは複数の制限および／または禁止されたエリアに対するアクセスを選択的に許可するシステム２００が図示されている。システム２００は、セントラルシステム２０２、およびモバイルコンピューティング装置２０４を含む。セントラルシステム２０２は、ユーザ２０６および関連するモバイル装置２０４の複数のエリアに対するアクセスを選択的に許可し、そのアクセスは、２１０に対する電子ロック、および電子ロックエリアN２１２によって制御され、ここでＮは１以上の整数である。エリア２０８、２１０、２１２は、ＲＦ伝送に対して敏感な機器、救命／生命維持装置、危険物質、機密情報、化学物質などを含むエリアなどの、広範囲の様々な理由のため、制限的なアクセスを有することができる。いくつかのエリアは、ＲＦ伝送に対して敏感な可能性があるが、他のエリアはそうではなく、上記ＲＦ伝送は、それらのエリア内で、機器を妨害または機器に影響を与えることなく起こりうる。ＲＦ伝送に対して敏感でないエリアでは、上記エリア内へのエントリ前にモバイル装置の送信機が電源を切ることまたは無効にすることが必要とされないことを理解されたい。
【００１９】
セントラルシステム２０２は、セントラルシステム２０２ネットワークにおいて登録されたユーザのリストおよび制限的なエリア２０８、２１０、２１２それぞれについて登録されたユーザのアクセスレベルを含むアクセス制御リスト（ＡＣＬ）などのリストを含むことができる。例えば、第１のユーザは、制限的なエリアのいずれに対するアクセスも有することができない。第２のユーザは、２０８などの１つの制限的なエリアに対するアクセスを有することができ、第３のユーザは、エリア２１０に対するアクセスを有する。第４のユーザは、全てのエリア２０８、２１０、２１２に対する無制限のアクセスを有することができる。セントラルシステム２０２は、ユーザおよびそれぞれのアクセス可能エリアのリストを維持する。上記リストの更新は動的であり、必要に応じて更新することができる。また、それぞれの登録されたユーザ２０６に関連するモバイル装置２０４のリストも、セントラルシステム２０２によって維持される。
【００２０】
セントラルシステム２０２は、入力パネルなどの様々なユーザインタフェースを通して、電子ロックエリア２０８、２１０、２１２とインタフェースをとる。ユーザ２０６は、自身に関する情報を入力パネルに入力する。セントラルシステム２０２および電子ロックエリア２０８、２１０、２１２は、ワイヤレスまたは有線通信を通して通信することができる。ユーザ２０６が制限的なエリア２０８、２１０、２１２にアクセスしたい場合、ユーザは、例えば、個人識別番号（ＰＩＮ）を入力すること、アクセスコード、アクセスカードを通すこと、指紋、アイプリント、音声認識などによって上記アクセスを要求する。制限的または禁止的なエリアへのアクセス手段は、任意の技術とすることができ、全ての上記技術は、本明細書で開示されるシステムおよび／または方法で同様に良く機能する。
【００２１】
アクセスが要求されると、セントラルシステム２０２は、登録されたユーザ／アクセスレベルのリストおよびモバイル装置のリストを、検索または探索することができる。リストまたは登録事項は、同一のリストまたは別個のリストとすることができることを理解されたい。セントラルシステム２０２は、ユーザ２０６が、要求されたエリアにエントリするための正しい権限レベルを有するかどうかを判定することができる。セントラルシステム２０２は、ＲＦ伝送が特定のエリアに限定されているかどうかを判定することができ、限定されている場合、モバイル装置２０４がネットワークにアクティブに接続されるかどうかの判定をすることができる。モバイル装置２０４がアクティブに接続されない場合、そのエリアにすぐにアクセスすることを、権限のあるユーザに許可することができる。モバイル装置がアクティブに接続される場合、モバイル装置２０６がネットワークにアクティブに接続されなくなるまで、そのエリアに対するアクセスを拒否することができる。
【００２２】
図３は、ユーザの基準および装置の状態に動的にアクセスし、限定的なアクセスエリアに対するアクセス権を判定するシステム３００を図示する。システム３００は、コンピュータネットワークなどの、直接またはポータブルユーザ装置３０４を通してのいずれでユーザ３０６とインタフェースをとるコンピュータネットワーク３０２を含む。コンピュータネットワーク３０２は、ユーザの基準およびポータブルユーザ装置の状態へのアクセスを容易にするモジュールを含むことができる。含まれるモジュールは、インタフェースモジュール３０８、更新可能登録モジュール３１０、装置状態モジュール３１２、通信モジュール３１４、および／または非アクティブ化モジュール３１６とすることができる。これらのモジュールは、例示の目的であって、本明細書で開示されるシステムおよび／または方法に従って、より多いまたは少ないモジュールをコンピュータネットワーク３０２で使用して、ユーザの基準および装置の状態に動的にアクセスすることができることを理解されたい。様々なモジュール３０８、３１０、３１２、３１４、３１６を、コンピュータネットワーク１０２からリモートに配置することができ、有線またはワイヤレス接続を通して通信できることも理解されたい。
【００２３】
インタフェースモジュール３０８を構成して、例えば限定的なアクセスエリアへのエントリポイントに配置した制御パネル３２０から、ユーザ入力を受け取る。制御パネル３２０をコンピュータネットワーク３０２に配線するか、またはワイヤレス通信を通して通信を容易にすることができる。コンピュータネットワーク３０２および制御パネル３２０を、異なるエリア、建物などに配置することができることを認識されたい。ユーザ３０６は、自身を識別する情報（例えば、ピン、アクセスカードなど）を制御パネル３２０に入力することができる。
【００２４】
インタフェースモジュール３０８は、ユーザ情報を受け取り、ユーザ情報を更新可能登録モジュール３１０に送信する。更新可能登録モジュール３１０を構成して、例えばコンピュータネットワークに関連するユーザのリストまたは登録事項を受け取り、維持する。更新可能登録モジュール３１０を、例えばユーザＩＤおよび／またはアクセス権をコンピュータネットワーク３０２の様々なユーザに割り当てるシステム管理者により、ユーザ対話を通して手動で更新することができる。更新可能登録モジュール３１０は、ユーザ３０６を、上記ユーザがポータブルユーザ装置を有する場合はポータブルユーザ装置３０４と関連付けることもできる。
【００２５】
いくつかの制限的なエリアにとって、ＲＦ伝送は望ましくない可能性があり、装置状態モジュール３１２は、ポータブルユーザ装置３０４の状態を判定することができる。ポータブル装置３０４の状態には、装置がネットワークにアクティブに接続されているかまたは切断されているかどうかが含まれる。この状態判定は、ポータブル装置３０４に関連するユーザ３０６が、ＲＦ伝送の緩和が望まれる制限的なエリアへのアクセスを要求するときに、利用される。ポータブルユーザ装置３０４の状態を、装置の位置に関わらず判定することができる。例えば、ユーザ３０６は、装置を自身の机に置き、ユーザ３０４が限定的なアクセスエリアに移動する間、装置を机上に置いたままにする可能性がある。エリアが、装置をネットワークにアクティブに接続するべきでないエリアであり、机上に残された装置がアクティブに接続される場合は、装置が制限的なエリアの近くにない場合であっても、そのエリアへのアクセスは、装置がアクティブでなくなるまで拒否される。
【００２６】
代替または追加として、装置状態モジュール３１２は、登録された装置の位置を判定することができ、および／または例えば上記判定を容易にするように位置モジュールと関連して動作することができる。ユーザについて登録された装置が、制限的なエリアに近接していないとき、装置をネットワークから切断するように要求せずに、ユーザに制限的なエリアへのアクセスを与えることができる。例えば、制限的なエリアを、特定のセルまたは地理的エリアのアクセスポイントに配置し、または関連付けることができる。装置が異なるセルのアクセスポイントに付随または関連する場合、ユーザが制限的なエリアへのエントリを試みると、装置状態モジュール３１２は、装置が制限的なエリアへの脅威とならないことを判定することができ、ユーザがすぐにアクセスすることを許可することができる。上記装置の位置を、他の位置判定システム（例えば、全地球測位システム（ＧＰＳ）など）、および本開示の範囲内にあると意図される全ての上記の変更および／または修正を通して容易にすることもできる。
【００２７】
装置がアクティブであり、ネットワークから切断されるべきである場合、通信モジュール３１４は、上記状態をユーザ３０６に通信することができる。通信モジュール３１４は、ユーザ３１４に、装置の状態と、要求されたエリアへのアクセスが許可される前に装置をネットワークから切断しなければならないこととを通知するメッセージ（例えば、テキストメッセージ、電子メール、音声メッセージ）を送ることができる。ユーザが、送信されたメッセージを通信モジュール３１４から受け取ると、ユーザは、エリアにアクセスするために取るべきアクションがわかり、装置のＲＦ送信機を手動で無効にすることができる。しかし、ユーザが、上記ステップを取ることを拒否するか、またはメッセージを受け取らない（例えば、装置がユーザと異なる位置にある）場合、ＲＦ送信機を非アクティブ化モジュール３１６により自動的に無効にすることができる。
【００２８】
非アクティブ化モジュール３１６は、ワイヤレス信号またはコマンドを装置３０４に送ることにより、ＲＦ送信機を自動的に無効にすることができる。制限的なエリアへのアクセスが要求されるとき、または装置のＲＦ送信機を非アクティブ化するための時間分を待機した後、または通信モジュール３１４によって所定回数の通知がユーザに送信された後、この信号をすぐに送信することができる。手動または自動のいずれかによりＲＦ送信機が無効にされると、制限的なエリアに対するアクセスを、自動的に、またはユーザがそのエリアへのアクセスを再度要求すると、許可することができる。
【００２９】
ここで図４を参照すると、ポータブル通信装置のユーザが制限的なエリアにアクセスすることをポータブル通信装置の状態に基づいて選択的に許可するシステム４００が図示されている。システムは、ホストコンピュータ４０２、および少なくとも１つのポータブル通信装置４０４を含む。ホストコンピュータ４０２は、インタフェースモジュール４０８、更新可能登録モジュール４１０、ポータブル装置状態モジュール４１２、通信モジュール４１４、および／または非アクティブ化モジュール４１６を含む。これらのモジュールは、図３のコンピュータネットワーク３０２に関して説明し、議論したのと同様の方法で動作し、さらには議論しないこととする。
【００３０】
ホストコンピュータ４０２は、ポータブル通信装置４０４とワイヤレスで通信する。ユーザ４０６は、ポータブル通信装置４０４と関連付けられ、装置４０４およびホストコンピュータ４０２の両方とインタフェースをとることができる。ポータブル通信装置４０４は、１つまたは複数のＲＦ送信機４１８、および通信インタフェース４２０を含む。
【００３１】
ＲＦ送信機４１８は、任意のワイヤレス手段を通して、ポータブル通信装置４０４とのワイヤレス通信を容易にする。例えば、ＲＦ送信機４１８は、複数のネットワーク（例えば、ＷＬＡＮ、ＷＷＡＮ、ＷＰＡＮなど）に対する通信を容易にすることができ、複数のネットワークは、ユーザ４０６が、ホストコンピュータ４０２、およびＲＦ送信機の範囲内に位置する他のユーザと通信することを可能にする。ＲＦ送信機４１８は、状態情報をホストコンピュータ４０２に送信することができる。代替または追加として、ホストコンピュータ４０２は、ポータブル通信装置４０４のＲＦ送信機４１８の状態を要求し、取得し、またはアクティブに検索することができる。ＲＦ送信機を、ユーザの要求に応じて、選択的に有効または無効にすることができる。ホストコンピュータ４０２は、それぞれのＲＦ送信機を自主的に無効にすることができ、それによりユーザ４０６は、ＲＦ伝送が禁止される限定的なアクセスエリアにアクセスすることができる。
【００３２】
ポータブル通信装置４０４は、通信インタフェース４２０も含み、通信インタフェース４２０は、ディスプレイ、音、振動手段、または情報が利用可能であることをユーザ４０６に警告する他の手段とすることができる。通信インタフェース４２０は、ホストコンピュータ４０２の通信モジュール４１４からワイヤレス通信を受け取ることができる。ワイヤレス通信には、ポータブル通信装置４０４のＲＦ送信機は、アクティブであり、ユーザが限定的なアクセスエリアに対する要求アクセスを得るために非アクティブ化されなければならないという通知が含まれる。
【００３３】
図５は、複数のモバイル装置ユーザに、施設の所定エリアへの限定的なアクセスを提供するシステム５００を図示する。システム５００は、施設のセントラルシステムとすることができるホストコンピュータ５０２を含む。ホストコンピュータ５０２を、施設内の複数エリアに配線することができ、そのエリアに職員がアクセスすることは、所定の基準に基づいて制限される。これらのエリアを、エリア1５０４、エリア2５０６、エリアN５０８とラベル付けし、ここでＮは１以上の整数である。示されるように、ホストコンピュータ５０２を、それぞれの限定的なアクセスエリア５０４、５０６、５０８の付近に配置された制御パネル、アクセスパネル、コンピュータ、または電子ロックに配線することができることを理解されたい。代替として、ホストコンピュータ５０２は、制御パネル、アクセスパネル、コンピュータ、または電子ロックにワイヤレスで通信することができる。
【００３４】
ホストコンピュータ５０２は、複数のモバイルコンピューティング装置、ラベル付けした装置1５１０、装置2５１２、および装置N５１４とインタフェースをとることもでき、ここでＮは１以上の整数である。モバイルコンピューティング装置５１０、５１２、５１４は、それぞれユーザ５１６、５１８、５２０と関連付けられる。ユーザ５１６、５１８、５２０は、ホストコンピュータ５０２にアクセスする権限を与えられ、上記装置５１０、５１２、５１４は、ホストコンピュータ５０２に登録されることを認識されたい。ホストコンピュータ５０２を構成して、１つまたは複数の限定的なアクセスエリア５０４、５０６、５０８に対するアクセスを有することができるユーザ５１６、５１８、５２０のリストを維持する。ユーザ５１６、５１８、５２０は、エリア５０４、５０６、５０８に対するアクセスを有することができない場合もあることも理解されたい。さらに、モバイルコンピューティング装置に関連しない複数のユーザは、ホストコンピュータ５０２に登録されて、制限的なエリア５０４、５０６、５０８に対するアクセスを有することができる。上記ユーザの表示は、ユーザA５２２およびユーザB５２４とラベル付けされる。
【００３５】
ユーザ５１６、５１８、５２０、５２２、５２４が、複数のアクセス手段を通して限定的なアクセスエリア５０４、５０６、５０８へのアクセスを要求すると、ホストコンピュータ５０２は、上記ユーザ５１６、５１８、５２０、５２２、５２４にアクセスを許可または拒否すべきかどうかを選択的に判定する。ホストコンピュータ５０２は、例えばシステム管理者、セキュリティ担当者などによって割り当てられるように、それぞれのユーザ５１６、５１８、５２０、５２２、５２４およびアクセス権、権限などの動的に更新可能なリストを含むことができる。ホストコンピュータ５０２は、上記エリアに関する情報を含む限定的なアクセスエリア５０４、５０６、５０８のアクセス可能なリストを維持することもでき、その情報は、エリア５０４、５０６、５０８へのアクセスが許可可能となる前にＲＦ伝送を禁止すべきかどうかを含む。ホストコンピュータ５０２は両方のリストにアクセスし、ユーザ５１６、５１８、５２０、５２２、５２４が要求エリア５０４、５０６、５０８にアクセスできるかどうかを判定する。
【００３６】
図６〜８を参照すると、制限的なエリアへのアクセスを選択的に許可することに関する方法が図示されている。説明の簡単さのため、方法を一連の動作として示し説明するが、方法は、動作の順序によっては限定されず、いくつかの動作をこれらの方法に従って異なる順序で、および／または本明細書で示し説明した他の動作と並行して行うことができることを理解されたい。例えば、方法を、状態図などの一連の相互に関連する状態または事象として代替的に表現できることを、当業者は理解し、認識するであろう。さらに、以下の方法を実装するためには、図示した全ての動作が必要となる訳ではない。
【００３７】
施設（例えば、病院、電話会社、インターネットサービスプロバイダなど）全体において、特定のエリアへのアクセスが特定のユーザに限定され、さらにＲＦ伝送の廃止が望まれる場所または部署が存在する可能性がある。上記の限定的なアクセスエリアは一般に、権限のあるアクセスの制御を可能とする壁およびドアで物理的に囲まれる。これらのエリアへのアクセスは一般に、それぞれのドアでの電子ロックメカニズムを通して行われる。これらロックシステムを通したエントリは、通常は、キーコード、磁気ストライプバッジ、バーコードバッジ、バッジに組み込まれたＲＦＩＤモジュールなどが必要である。この既存システムは、これらのエリアにおいて権限のある職員の制御および監視を可能にする。電子ロックは一般に、アクセス制御リスト（ＡＣＬ）に基づいたエントリを可能にする。ＡＣＬは、一般に有線ネットワーク接続を通して維持および更新され、ホストコンピュータシステムに戻される。ＡＣＬの更新は、迅速かつ容易に行うことができる。ユーザが所定の制限的なエリアに入るとき、ワイヤレス通信装置がアクティブではなく、上記モバイルコンピューティング装置との通信によって制限的なエリア内の機器が妨害されないことが望ましい。本明細書で開示されるシステムおよび／または方法は、既存の電子ロックのインフラを、モバイルコンピューティング装置に対するユーザの許可レベルおよび関連性と組み合わせて、利用することができる。割り当てられたワイヤレスモバイルコンピューティング装置上のアクティブな送信機を無効にするようユーザに要求することにより、送信機を無効にする動作が完了するまで、上記ユーザはこれらの制限的なエリアへのエントリを拒否されることとなる。
【００３８】
図６は、保護された環境へのアクセスを禁止する方法６００のフローチャートを図示する。方法は、６０２で開始され、６０２では、ＡＣＬなどのユーザのリストが、上記制限的なエリアに入る権限のあるユーザのＩＤで生成および／または更新される。それぞれのユーザについて登録された装置のリストが、６０４で生成される。ＡＣＬリスト上の何人かのユーザは、６０４でモバイル装置と関連付けなくともよいことを理解されたい。
【００３９】
制限的なエリアへのアクセスを試みると、ユーザは、６０６で、登録済み装置と関連付けられる。ユーザと登録済み装置との間に上記関連がある場合、６０８で装置がネットワークにアクティブに接続されるかどうかの判定がなされる。装置は、この判定時にユーザの所有でなくてもよく、ユーザからリモート（および限定的なアクセスエリア）にあることができる。装置がアクティブに接続され、「はい」の場合、制限的なエリアへのアクセスは６１０で拒否される。６０８での判定が「いいえ」の場合、装置はネットワークにアクティブに接続されず、制限的なエリアへのアクセスは６１２で許可される。
【００４０】
図７は、制限的なエリアへのアクセスを許可または拒否する方法７００のフローチャートを図示する。方法は、７０２で開始され、７０２では、制限的なエリアへのアクセス要求が、電子ロックシステムなどの複数のユーザ識別システムを通してユーザから受け取られる。７０４で、ユーザにエリアへのアクセスの権限が与えられるかどうかの最初の判定がなされる。判定が「いいえ」の場合、ユーザは権限が与えられず、７０６でアクセスは拒否される。７０４での判定が「はい」の場合、ユーザはエリアへのアクセスの権限が与えられる。
【００４１】
方法は継続し、７０８で、ユーザが制限的なエリアに入る前に非アクティブ化されるＲＦ送信機を有しなければならない登録済み装置を、ユーザが有するかどうかの判定がなされる。ユーザが登録済み装置を有さない（「いいえ」）と判定される場合、７１０でユーザはアクセスが許可される。ユーザが登録済み装置を有する場合（「はい」）、７１２で、装置がネットワークにアクティブに接続されるかどうかの判定がなされる。７１２で判定が「いいえ」である場合、装置はアクティブに接続されず、７１０でアクセスが許可される。判定が「はい」である場合、装置はアクティブに接続され、７０６で制限的なエリアへのアクセスが拒否される。ユーザは、装置がネットワークにアクティブに接続されなくなった後に、上記アクセスを再度試みることができる。
【００４２】
図８は、装置がネットワークにアクティブに接続されないため、権限のあるユーザが、制限的なエリアへのエントリを拒否された後に、制限的なエリアへのアクセスを許可することを容易にする方法８００のフローチャートを図示する。アクティブな装置を有する権限のあるユーザが、制限的なエリアへのアクセスを要求すると、方法が、８０２で始まる。アクティブな装置が認識され、８０４で、エリアへのアクセスが許可される前に、ネットワークから装置を除去するようにユーザに通知が送信される。この通知は、装置の状態と、エリアへのアクセスが拒否された理由とを上記ユーザに通知するためのテキストメッセージまたは他の手段とすることができる。
【００４３】
８０６で、装置がサーバ上でアクティブでないかどうかの判定がなされる。「いいえ」の場合、装置がオフラインにされたこと（例えば、ユーザが装置の電源を切る）を示し、８１０でエリアへのアクセスが許可される。８０６で判定が「はい」である場合、装置はネットワークから切断されていない。これは、装置がユーザと異なる位置（および制限的なエリア）にある状況で生じる可能性がある。例えば、ユーザは、装置を自身の机上に残したまま、制限的なエリアへ歩くかもしれない。ユーザに、装置をリモートの位置から取り出すように要求するのではなく、方法は、８０８で自動的に装置のＲＦ伝送を無効または切断することができる。自動的な切断を８０８ですぐに実施するのではなく、方法は、８０４に戻ってさらなる通知をユーザに送信することができることを理解されたい。ユーザへの通知を所定回数試行した後、または一定時間後、方法は、８０８で自動的に装置を無効にすることができる。装置を無効にした後、８１０で制限的なエリアへのアクセスが許可される。
【００４４】
図９を参照すると、本発明の１つの態様による（図１０に図示されるポータブルスキャン装置１０００と同様の）ポータブルハンドヘルド端末装置９００のブロック図が図示されており、プロセッサ９０２が、装置９００の一般的な動作の制御に関与する。本明細書で説明される様々な機能を実行するために、プロセッサ９０２を、装置９００内の様々なコンポーネントを制御し、動作させるようにプログラムする。プロセッサ９０２は、複数の適切なプロセッサの任意のものとすることができる。本発明に関連する機能を実行するようにプロセッサ９０２をプログラムすることができる手法を、当業者は、本明細書で提供される説明に基づいて容易に認識することができるであろう。
【００４５】
プロセッサ９０２に接続されたメモリ９０４は、プロセッサ９０２により実行されるプログラムコードを格納する役割を果たし、ユーザの資格情報および受信トランザクション情報などの情報を格納する記憶手段としての役割を果たす。メモリ９０４は、少なくとも、表示される情報の完全なセットを格納するように適切に適応された不揮発性メモリとすることができる。従って、メモリ９０４は、プロセッサ９０２および／または大容量記憶メモリによる高速アクセスのためのＲＡＭまたはフラッシュメモリを含むことができ、大容量記憶メモリは、例えば、テキスト、イメージ、オーディオ、およびビデオコンテンツを備えるギガバイトのデータの格納が可能なマイクロドライブである。１つの態様によると、メモリ９０４は、情報の複数のセットを格納するのに十分な記憶容量を有し、プロセッサ９０２は、ディスプレイ情報の様々なセットの間で代替または循環させるためのプログラムを含むことができる。
【００４６】
ディスプレイ９０６は、ディスプレイドライバシステム９０８を介してプロセッサ９０２に結合される。ディスプレイ９０６は、カラー液晶ディスプレイ（ＬＣＤ）、プラズマディスプレイなどとすることができる。この例では、ディスプレイ９０６は、１６レベルのグレイスケールを有する１／４ＶＧＡディスプレイである。ディスプレイ９０６は、データ、グラフィクス、または他の情報コンテンツを表示するよう機能する。例えば、ディスプレイ９０６は、オペレータに表示されシステムバックボーン（図示せず）上で伝送することができる顧客情報のセットを表示することができる。さらに、ディスプレイ９０６は、装置９００の実行を制御する様々な機能を表示することができる。ディスプレイ９０６は、英数字およびグラフィカル文字の両方を表示することができる。
【００４７】
電力は、内蔵電源システム９１０（例えば、バッテリーパック）により、プロセッサ９０２、およびハンドヘルド装置９００を形成する他のコンポーネントに供給される。電源システム９１０に障害が起こるか、または電源システム９１０が装置９００から切り離されることとなる事象では、予備電源９１２を使用して電力をプロセッサ９０２に供給し、内蔵電源システム９１０を充電することができる。装置９００のプロセッサ９０２は、予想した電力障害の検知時に電流引き込みを減少させるスリープモードを含む。
【００４８】
端末９００は、リモートコンピュータでプロセッサ９０２とインタフェースをとるのに使用されるデータ通信ポート９１６を含む通信サブシステム９１４を含む。ポート９１６は、ユニバーサルシリアルバス（ＵＳＢ）およびＩＥＥＥ１３９４シリアル通信能力の少なくとも１つを含むことができる。他の技術、例えば赤外線データポートを使用する赤外線通信を含むこともできる。
【００４９】
装置９００は、プロセッサ９０２と通信して動作する無線周波数（ＲＦ）送受信機セクション９１８を含むこともできる。ＲＦセクション９１８は、ＲＦ受信機９２０を含み、ＲＦ受信機９２０は、アンテナ９２２を介してリモート装置からＲＦ信号を受信し、信号を復調して、そこで変調したデジタル情報を得る。ＲＦセクション９１８は、例えばユーザ入力装置９２６（例えば、キーパッド）を介してユーザが手動で入力するのに応答して、またはトランザクションの完了もしくは他の所定の基準とプログラムした基準に自動的に応答して、情報をリモート装置に伝送するためのＲＦ送信機９２４も含む。送受信機セクション９１８は、例えば製品または品物のＲＦタグで使用するときに受動的であるかアクティブであるかのいずれかであるトランスポンダシステムとの通信を容易にする。プロセッサ９０２は、送受信機９１８を介してリモートトランスポンダシステムに信号送信し（またはパルスを与え）、タグメモリのコンテンツを読み込むために応答信号を検知する。１つの実装において、ＲＦセクション９１８はさらに、装置９００を用いて電話通信を促進する。その促進において、オーディオ入出力セクション９２８は、プロセッサ９０２により制御されるように提供され、マイクロフォン（または、同様のオーディオ入力装置）からの音声入力および（スピーカ、または同様のオーディオ出力装置からの）オーディオ出力信号を処理する。別の実装において、装置９００は、音声認識機能を提供することができ、装置９００が単にボイスレコーダとして用いられると、プロセッサ９０２は、ローカル編集およびレビューするため、および／またはコンピュータワードプロセッサなどのリモートシステムに後にダウンロードするためにテキストコンテンツに、音声信号を高速で変換することを容易にすることができる。同様に、キーパッド９２６を介した手動の入力を用いる代わりに、変換した音声信号を使用して装置９００を制御することができる。
【００５０】
プリンタ９３０、署名パッド９３２、および磁気ストライプリーダ９３４などの内蔵周辺装置を、装置９００のハウジング内で提供するか、または１つまたは複数の外部ポートインタフェース９１６を通して外部から供給することもできる。
【００５１】
装置９００は、イメージキャプチャシステム９３６を含むことができ、ユーザが、装置９００による記憶およびディスプレイ９０６による表示のために、イメージおよび／または短編映画を記録することもできる。さらに、データ形式をスキャンするために、データ形式読取システム９３８が含まれる。これらのイメージングシステム（９３６および９３８）は、両方の機能を実施可能な単一のシステムとすることができることを認識されたい。
【００５２】
図１０は、本発明の実施態様の理解を助け、本発明の実施態様についての状況を提供するために提供される。具体的には、図１０は、本明細書で開示されるシステムおよび／または方法を実行するように動作するハンドヘルド端末１０００の例を図示する。示され、説明されるハンドヘルド端末は例に過ぎず、本開示に従って他の装置を利用することができることを理解されたい。
【００５３】
ハンドヘルド端末１０００は、高強度プラスチック、金属、または任意の他の適切な材料から構成することができるハウジング１００２を含むことができる。ハンドヘルド端末１０００は、ディスプレイ１００４を含むこともできる。従来のように、ディスプレイ１００４は、ハンドヘルド端末１０００および／またはモバイルコンパニオン（図示せず）の通常の動作に関するデータまたは他の情報を表示するように機能する。例えば、ハンドヘルド端末１０００および／またはモバイルコンパニオン上で動作するソフトウェアは、ユーザに要求される様々な情報の表示を提供することができる。さらに、ディスプレイ１００４は、ハンドヘルド端末１０００および／または１つもしくは複数のモバイルコンパニオンにより実行可能な様々な機能を表示することができる。ディスプレイ１００４は、例えばユーザに要求される品物の価格などのグラフィクスベースの英数字情報を提供することができる。ディスプレイ１００４は、例えば特定のメニュー項目のアイコン表示などのグラフィクスの表示を提供することもできる。ディスプレイ１００４は、タッチ画面とすることもでき、タッチ画面は、容量性（capacitive）、抵抗性接触（resistive touch）、赤外線、表面弾性波（surface acoustic wave）、または地上音波（grounded acoustic wave）技術を使用することができる。
【００５４】
ハンドヘルド端末１０００はさらに、ユーザが情報および／または操作コマンドを入力することを可能にするためのユーザ入力キー１００６を含むことができる。ユーザ入力キー１００６は、フル英数字キーパッド、ファンクションキー、エンターキーなどを含むことができる。ハンドヘルド端末１０００は、磁気ストライプリーダ１００８、または他のデータキャプチャメカニズム（図示せず）を含むこともできる。電子署名装置を、磁気ストライプリーダまたはテレチェックシステムと関連して使用することもできる。
【００５５】
ハンドヘルド端末１０００は、ウィンドウ１０１０を含むこともでき、ウィンドウ１０１０では、バーコードリーダ／バーコードイメージャが、ハンドヘルド端末１０００に提示されるバーコードラベルなどを読み取ることができる。ハンドヘルド端末１０００は、バーコードが正確にまたは不正確に読み取られたかどうかを反映するように照らされる発光ダイオード（ＬＥＤ）（図示せず）を含むことができる。代替または追加として、スピーカ（図示せず）から音を発して、バーコードを無事にイメージ化および復号化したことをユーザに警告することができる。ハンドヘルド端末１０００は、無線周波数（ＲＦ）アクセスポイントとのワイヤレス通信用のアンテナ（図示せず）、および赤外線（ＩＲ）アクセスポイントとの通信用のＩＲ送受信機（図示せず）を含むこともできる。
【００５６】
図１１は、本発明が関係しうるサンプルのコンピューティング環境のブロック図である。システム１１００は、１つまたは複数のクライアント１１１０を含む。クライアント１１１０は、ハードウェアおよび／またはソフトウェア（例えば、スレッド、プロセス、コンピューティング装置）とすることができる。システム１１００は、１つまたは複数のサーバ１１２０も含む。サーバ１１２０は、ハードウェアおよび／またはソフトウェア（例えば、スレッド、プロセス、コンピューティング装置）とすることもできる。サーバ１１２０は、例えば本発明を使用することによりトランザクションを実施するスレッドを格納することができる。
【００５７】
クライアント１１１０とサーバ１１２０との間の可能性のある通信の１つは、２つ以上のコンピュータプロセス間で伝送されるように適応させたデータパケットの形式とすることができる。システム１１００は、通信フレームワーク１１４０を含み、通信フレームワーク１１４０を使用して、クライアント１１１０とサーバ１１２０との間の通信を容易にすることができる。クライアント１１１０を、１つまたは複数のクライアントデータストア１１５０に動作可能に結合して、クライアントデータストア１１５０を使用して、情報をクライアント１１１０にローカルに格納することができる。同様に、サーバ１１２０を、１つまたは複数のサーバデータストア１１３０に動作可能に接続して、サーバデータストア１１３０を使用して、情報をサーバ１１２０にローカルに格納することができる。
【００５８】
図１２を参照すると、本発明の様々な態様を実装する例示的環境１２１０は、コンピュータ１２１２を含む。コンピュータ１２１２は、処理ユニット１２１４、システムメモリ１２１６、およびシステムバス１２１８を含む。システムバス１２１８は、限定ではないがシステムメモリ１２１６を含むシステムコンポーネントを、処理ユニット１２１４に接続する。処理ユニット１２１４は、任意の様々な利用可能なプロセッサとすることができる。デュアルマイクロプロセッサおよび他のマルチプロセッサアーキテクチャを処理ユニット１２１４として使用することもできる。
【００５９】
システムバス１２１８は、いくつかの種類のバス構造の任意のものとすることができ、バス構造は、メモリバスまたはメモリ制御装置、周辺バスまたは外部バス、および／または任意の様々な利用可能なバスアーキテクチャを用いるローカルバスを含み、バスアーキテクチャは、ＩＳＡ、ＭＳＡ、ＥＩＳＡ、ＩＤＥ、ＶＬＢ、ＰＣＩ、カードバス、ＵＳＢ、ＡＧＰ、ＰＣＭＣＩＡ、Ｆｉｒｅｗｉｒｅ（ＩＥＥＥ１３９４）、およびＳＣＳＩを含むが、これらには限定されない。
【００６０】
システムメモリ１２１６は、揮発性メモリ１２２０、および不揮発性メモリ１２２２を含む。起動時などにコンピュータ１２１２内の要素間で情報を転送する基本ルーチンを含む基本入出力システム（ＢＩ０Ｓ）は、不揮発性メモリ１２２２に格納される。限定ではなく例として、不揮発性メモリ１２２２は、ＲＯＭ、ＰＲＯＭ、ＥＰＲＯＭ、ＥＥＰＲＯＭ、またはフラッシュメモリを含むことができる。揮発性メモリ１２２０は、外部キャッシュメモリとして動作するＲＡＭが含まれる。限定ではなく例として、ＲＡＭは、ＳＲＡＭ、ＤＲＡＭ、ＳＤＲＡＭ、ＤＤＲ  ＳＤＲＡＭ、ＥＳＤＲＡＭ、ＳＬＤＲＡＭ、およびＤＲＲＡＭなどの多くの形式で利用可能である。
【００６１】
コンピュータ１２１２は、リムーバブル／非リムーバブル、揮発性／不揮発性コンピュータ記憶媒体も含む。図１２は例えば、ディスクストレージ１２２４を図示する。ディスクストレージ１２２４は、磁気ディスクドライブ、フロッピー（登録商標）ディスクドライブ、テープドライブ、Ｊａｚドライブ、Ｚｉｐドライブ、ＬＳ−１００ドライブ、フラッシュメモリカード、またはメモリスティックのような装置を含むが、これらには限定されない。さらに、ディスクストレージ１２２４は、他の記憶媒体と別個または組合せで記憶媒体を含むことができ、他の記憶媒体は、ＣＤ−ＲＯＭ、ＣＤ−Ｒドライブ、ＣＤ−ＲＷドライブ、またはＤＶＤ−ＲＯＭなどの光ディスクドライブを含むが、これらには限定されない。ディスクストレージ装置１２２４のシステムバス１２１８への接続を容易にするため、インタフェース１２２６などのリムーバブルまたは非リムーバブなルインタフェースが、典型的に用いられる。
【００６２】
図１２は、ユーザと、適切な動作環境１２１０で説明される基本的なコンピュータリソースとの間で中間として動作するソフトウェアを説明することを、理解されたい。上記ソフトウェアは、オペレーティングシステム１２２８を含む。ディスクストレージ１２２４に格納することができるオペレーティングシステム１２２８は、コンピュータシステム１２１２のリソースを制御し、割り振るように動作する。システムアプリケーション１２３０は、システムメモリ１２１６内またはディスクストレージ装置１２２４上のいずれかに格納されるプログラムモジュール１２３２およびプログラムデータ１２３４を通して、オペレーティングシステム１２２８によりリソース管理を利用する。本発明を、様々なオペレーティングシステムまたはオペレーティングシステムの組合せで実装することできることを理解されたい。
【００６３】
ユーザは、入力装置１２３６を通してコマンドまたは情報をコンピュータ１２１２に入力する。入力装置１２３６は、マウスなどのポインティングデバイス、トラックボール、スタイラスペン、タッチパッド、キーボード、マイクロフォン、ジョイスティック、ゲームパッド、パラボラアンテナ、スキャナ、ＴＶチューナカード、デジタルカメラ、デジタルビデオカメラ、ウェブカメラなど含むが、これらには限定されない。これらおよび他の入力装置は、インタフェースポート１２３８を介してシステムバス１２１８を通して処理ユニット１２１４に接続する。インタフェースポート１２３８は、例えば、シリアルポート、パラレルポート、ゲームポート、およびＵＳＢを含む。出力装置１２４０は、入力装置１２３６と同じ種類のポートのいくつかを使用する。従って、例えば、ＵＳＢポートを使用して、コンピュータ１２１２に対する入力を提供し、コンピュータ１２１２からの情報を出力装置１２４０に出力することができる。出力アダプタ１２４２は、他の出力装置１２４０の中には、モニタ、スピーカ、およびプリンタのような特殊なアダプタを必要とするいくつかの出力装置１２４０があることを示すために提供される。出力アダプタ１２４２は、限定ではなく例として、出力装置１２４０とシステムバス１２１８の間の接続手段を提供するビデオおよびサウンドカードを含む。リモートコンピュータ１２４４などの他の装置および／または装置のシステムが、入力機能および出力機能の両方を提供することに留意されたい。
【００６４】
コンピュータ１２１２は、リモートコンピュータ１２４４などの１つまたは複数のリモートコンピュータに対する論理接続を用いてネットワーク環境で動作することができる。リモートコンピュータ１２４４は、パーソナルコンピュータ、サーバ、ルータ、ネットワークＰＣ、ワークステーション、マイクロプロセッサベースの装置、ピアデバイスまたは他の共通ネットワークノードなどとすることができ、典型的に、コンピュータ１２１２に関して説明される要素の多くまたは全てを含む。簡潔にするため、メモリ記憶装置１２４６のみをリモートコンピュータ１２４４とともに図示する。リモートコンピュータ１２４４は、ネットワークインタフェース１２４８を通してコンピュータ１２１２に論理的に接続され、その後通信接続１２５０を介して物理的に接続される。ネットワークインタフェース１２４８は、ＬＡＮおよびＷＡＮなどの通信ネットワークを網羅する。ＬＡＮ技術には、ＦＤＤＩ、ＣＤＤＩ、イーサネット（登録商標）、トークンリングなどが含まれる。ＷＡＮ技術には、ポイントツーポイントリンク、ＩＳＤＮおよびその変形のような回線交換ネットワーク、パケット交換ネットワーク、およびデジタル加入者線（ＤＳＬ）が含まれるが、これらには限定されない。
【００６５】
通信接続１２５０は、ネットワークインタフェース１２４８をバス１２１８に接続するために使用されるハードウェア／ソフトウェアを指す。通信接続１２５０を、説明の明快さのためコンピュータ１２１２内部に示すが、コンピュータ１２１２の外部にすることもできる。ネットワークインタフェース１２４８に対する接続に必要なハードウェア／ソフトウェアは、例示の目的のためだけであるが、通常の電話用モデム、ケーブルモデムおよびＤＳＬモデム、ＩＳＤＮアダプタ、およびイーサネット（登録商標）カードを含むモデムなどの、内部的および外部的な技術を含む。
【００６６】
上述したことは本発明の例を含む。当然、本発明を説明する目的で、構成要素または方法の考えられる組合せの全てを記述することは不可能であるが、当業者は、本発明の多くのさらなる組合せおよび置き換えが可能であることを理解するであろう。従って、本発明は、添付した請求項の精神および範囲内にある上記の変更、修正、および変形の全てを包含するように意図される。
【００６７】
特に、上述のコンポーネント、装置、回路、システム等によって実施される様々な機能に関して、上記コンポーネントを説明するために用いた用語は（「手段」への参照も含めて）、特に述べない限り、本明細書で示した本発明の例示的態様における機能を実施する開示された構造と構造的に等価なものでなくとも、説明したコンポーネントの特定の機能を実施する任意のコンポーネント（例えば、機能的に等価なもの）に対応するように意図される。この点で、本発明は、システムと、本発明の様々な方法の動作および／または事象を実施するためのコンピュータ実行可能命令を有するコンピュータ読取可能媒体を含むことも理解されるであろう。
【００６８】
さらに、本発明の特定の特徴を、いくつかの実装の１つのみに関して開示したが、任意の所与または特定のアプリケーションにとって望ましく有利なものとなるように、上記の特徴を他の実装の１つまたは複数の他の特徴と組み合わせることができる。さらに、用語「〜が含む」、および「〜を含むこと」およびそれらの変形を、詳細な説明または請求項のいずれかで使用する限り、これらの用語は、用語「〜を備える」と同様に包括的であることが意図される。
【図面の簡単な説明】
【００６９】
【図１】制限的な環境における無線周波数伝送を禁止することを容易にする自動クローズドループシステムを示す図である。
【図２】所定の基準に応じて、１つまたは複数の制限的および／または禁止エリアに対するアクセスを選択的に許可するシステムを示す図である。
【図３】動的にユーザ基準および装置状態にアクセスして、限定的なアクセスエリアへのアクセス権を判定するシステムを示す図である。
【図４】ポータブル通信装置のユーザの制限的なエリアに対するアクセスを、ポータブル通信装置の状態に基づいて選択的に許可するシステムを示す図である。
【図５】複数のモバイルコンピューティング装置のユーザに、施設の所定領域への限定的なアクセスを提供するシステムを示す図である。
【図６】保護された環境へのアクセスを禁止するための方法を示すフローチャートである。
【図７】制限的なエリアに対するアクセスを許可または拒否する方法を示すフローチャートである。
【図８】装置がネットワークにアクティブに接続されているために権限のあるユーザが制限的なエリアへのエントリを拒否された後に、制限的なエリアへのアクセスの許可を容易にする方法を示すフローチャートである。
【図９】開示されるシステムおよび／または方法を実行するように動作可能なコンピュータを示すブロック図である。
【図１０】本明細書で開示されるシステムおよび／または方法を実行するように動作可能な例示的な装置を示す図である。
【図１１】本発明と関連して使用されうる例示的なネットワーク環境を示す図である。
【図１２】本発明と関連して使用されうる例示的な動作環境を示す図である。
【図１】
2009505568.tif 000003
【図２】
2009505568.tif 000004
【図３】
2009505568.tif 000005
【図４】
2009505568.tif 000006
【図５】
2009505568.tif 000007
【図６】
2009505568.tif 000008
【図７】
2009505568.tif 000009
【図８】
2009505568.tif 000010
【図９】
2009505568.tif 000011
【図１０】
2009505568.tif 000012
【図１１】
2009505568.tif 000013
【図１２】
2009505568.tif 000014
【国際調査報告】
2009505568.tif 000015
2009505568.tif 000016